(57)【要約】【課題】押し込み式の栓体部を小さな力で容易に口栓本体部から抜き取ることができる開封栓および開封栓付き収容体を提供することを目的とする。【解決手段】本発明に係る開封栓８０は、口栓本体部１０と、栓体部２０とを有する。栓体部２０のキャップ部２０Ｂは、口栓本体部１０の口部１０Ｂに被嵌された状態で口部１０Ｂの壁部１５に沿って延びる周側部２３を第１の引き抜きガイドとして有し、周側部２３は、口栓本体部１０の流路５に嵌入された栓体部２０の嵌入部２０Ａの回転時に、口部１０Ｂの壁部１５に当て突いて弾性的にねじれ変形しながら壁部１５に沿ってこれを乗り上がり、嵌入部２０Ａを流路５から引き抜く方向に移動させる。【選択図】図２
2014015230.tif 000002
【特許請求の範囲】
【請求項１】
収容物を収容する収容体に取着される開封栓であって、
前記収容体内に収容された収容物を取り出すための断面が円形の流路を有する口栓本体部と、
前記口栓本体部の前記流路の開口端を閉塞するために前記口栓本体部に着脱自在に接続される栓体部と、
を備え、
前記口栓本体部は、その流路の開口端の周囲に、断面非円形状の壁部を具備した口部を有し、
前記栓体部は、前記口栓本体部の前記流路に着脱自在に嵌入して流路の開口端を閉塞する断面が円形の嵌入部と、前記嵌入部が前記流路に嵌入された状態で、前記口部に被嵌して前記口部を覆うキャップ部と、を有し、
前記キャップ部は、前記口部に被嵌された状態で前記口部の壁部に沿って延び、前記流路に嵌入された前記嵌入部の回転時に、前記口部の壁部に当て突いて弾性的にねじれ変形しながら壁部を乗り上がって、前記嵌入部を前記流路から引き抜く方向に移動させる第１の引き抜きガイドを有することを特徴とする開封栓。
【請求項２】
前記キャップ部は、前記嵌入部を回転操作するための操作摘みを有し、
この操作摘みには、前記第１の引き抜きガイドが前記口部の壁部を乗り上がった後、更に嵌入部を回転した際、前記壁部に当て突いて前記嵌入部を前記流路から引き抜く方向に更に移動させる第２の引き抜きガイドが設けられていることを特徴とする請求項１に記載の開封栓。
【請求項３】
前記第２の引き抜きガイドは、前記嵌入部が回転した際、前記口部の壁部への乗り上がりを案内するテーパ状のガイド面を有することを特徴とする請求項２に記載の開封栓。
【請求項４】
前記第２の引き抜きガイドは、前記口栓本体部に対する前記嵌入部の誤接続を防止するための指標として設けられることを特徴とする請求項２または請求項３に記載の開封栓。
【請求項５】
前記口栓本体部の前記口部は、前記流路からの収容物の流出を案内する流出ガイド部を有することを特徴とする請求項１ないし請求項４のいずれか１項に記載の開封栓。
【請求項６】
前記流出ガイド部が先細り形状を成すことを特徴とする請求項５に記載の開封栓。
【請求項７】
請求項１から６のいずれか１項に記載の開封栓が取着され、収容物を収容するための収容部を有することを特徴とする収容体。
【発明の詳細な説明】
【技術分野】
【０００１】
本発明は、例えば液状の薬剤、食品、化粧品などの流動物（以下、収容物と称する）を収容する収容体に設けられる開封栓、および、そのような開封栓を備えて収容物を収容する開封栓付き収容体に関する。
【背景技術】
【０００２】
従来、収容物を収容するこのような収容体は、例えばプラスチック製のボトル形態に構成されていたり、あるいは、柔軟な合成樹脂シートを融着等することによって構成されており、通常、これらの収容体には、収容物を取り出すために、例えば合成樹脂製の開封栓が取り付けられている。
【０００３】
このような開封栓は、一般に、収容体内に収容された収容物を取り出すための流路が形成された口栓本体部と、この口栓本体部に着脱自在に接続されて口栓本体部の流路開口端を閉塞するための栓体部とから成り、栓体部としては、一般的にネジ式キャップが使用される（例えば特許文献１参照）。このようなネジ式の栓体部は、シール性（封止性）が高く、改ざん防止機能を果たす部品などの付加も可能であるため、多方面で使用されている。
【０００４】
しかし、ネジ式の栓体部では、口栓本体部の口径が例えば６ｍｍ以下になると、ネジ部の寸法上の制約から、その使用が制限される。そのため、口栓本体部の口径が小さい小型の開封栓では、口栓本体部の流路開口端に栓体部を差し（押し）込んで流路開口端を閉塞する方法（押し込み式）が使用されている（例えば特許文献２参照）。
【先行技術文献】
【特許文献】
【０００５】
【特許文献１】特開２０００−１０４４４７号
【特許文献２】特許第２９２０１３６号
【発明の概要】
【発明が解決しようとする課題】
【０００６】
ところで、押し込み式の栓体部の場合には、シール性を高めるために、口栓本体部の流路とこの流路に差し（押し）込まれる栓体部の閉塞部位との密閉度を高める必要がある。しかしながら、両者の密閉度を高める結果、口栓本体部の流路内周面と栓体部の閉塞部位外周面との間の摩擦抵抗が大きくなり、そのため、垂直方向に大きな力を加えなければ口栓本体部から栓体部を引き抜くことができなくなる。
【０００７】
本発明は、上記した問題に着目してなされたものであり、押し込み式の栓体部を小さな力で容易に口栓本体部から抜き取ることができる開封栓、およびそのような開封栓付きの収容体を提供することを目的とする。
【課題を解決するための手段】
【０００８】
上記した目的を達成するために、本発明は、収容物を収容する収容体に取着される開封栓であって、前記収容体内に収容された収容物を取り出すための断面が円形の流路を有する口栓本体部と、前記口栓本体部の前記流路の開口端を閉塞するために前記口栓本体部に着脱自在に接続される栓体部と、を備え、前記口栓本体部は、その流路の開口端の周囲に、断面非円形状の壁部を具備した口部を有し、前記栓体部は、前記口栓本体部の前記流路に着脱自在に嵌入して流路の開口端を閉塞する断面が円形の嵌入部と、前記嵌入部が前記流路に嵌入された状態で、前記口部に被嵌して前記口部を覆うキャップ部と、を有し、前記キャップ部は、前記口部に被嵌された状態で前記口部の壁部に沿って延び、前記流路に嵌入された前記嵌入部の回転時に、前記口部の壁部に当て突いて弾性的にねじれ変形しながら壁部を乗り上がって、前記嵌入部を前記流路から引き抜く方向に移動させる第１の引き抜きガイドを有することを特徴とする。
【０００９】
上記した構成によれば、栓体部の嵌入部を、口栓本体部の流路に押し込む（嵌入する）と、流路開口端が閉塞されるとともに、栓体部のキャップ部が口栓本体部の口部に着脱自在に被嵌して前記口部が閉塞状態に覆われる。また、この閉塞状態では、キャップ部の第１の引き抜きガイドが口栓本体部の口部の壁部に沿って延在する。
【００１０】
そして、この状態で栓体部を例えば把持して回すと、流路内で嵌入部が回転し、それに伴って、キャップ部の第１の引き抜きガイドが口部の壁部に当て突き、弾性的にねじれ変形しながら前記壁部に沿ってこれを乗り上がるようになり、この乗り上がり作用により、嵌入部が流路から引き抜かれる方向に移動する。
【００１１】
このように、本発明によれば、口部の壁部を乗り上がる第１の引き抜きガイドの乗り上がり作用により、流路からの嵌入部の引き抜き動作が補助されるため、栓体部を小さな力で容易に口栓本体部から抜き取ることができる。なお、上記構成では、第１の引き抜きガイドの乗り上がり作用（引き抜き作用）により、嵌入部が流路から完全に引き抜かれても良いし、部分的に引き抜かれても良い。
【００１２】
また、上記した構成において、前記キャップ部は、前記嵌入部を回転操作するための操作摘みを有し、この操作摘みには、前記第１の引き抜きガイドが前記口部の壁部を乗り上がった後、更に嵌入部を回転した際、前記壁部に当て突いて前記嵌入部を前記流路から引き抜く方向に更に移動させる第２の引き抜きガイドを設けておいても良い。
【００１３】
この場合には、第１の引き抜きガイドによる引き抜き作用が働かなくなった後、第２の引き抜きガイドがこれを引き継いで更なる引き抜き動作を進行させることができ、あるいは、第１の引き抜きガイドによる引き抜き作用を第２の引き抜きガイドによって更に補助することもできる。
【００１４】
また、本発明は、上記した構成の開封栓を備える収容体も提供する。この場合、収容体は、シート状部材の周囲を溶着して構成された自立体や非自立体として構成されていても良いし、プラスチックやガラス等のボトルタイプとして構成されていても良い。
【発明の効果】
【００１５】
本発明によれば、口部の壁部を乗り上がる第１の引き抜きガイドの乗り上がり作用により、流路からの嵌入部の引き抜き動作が補助されるため、押し込み式の栓体部を小さな力で容易に口栓本体部から抜き取ることができる。
【図面の簡単な説明】
【００１６】
【図１】本発明の一実施形態に係る開封栓付き収容体の全体概略図。
【図２】図１の開封栓付き収容体の開封栓の要部拡大斜視図であり、口栓本体部に栓体部を接続する前の状態を示す図。
【図３】口栓本体部に栓体部を接続した状態を示す開封栓の概略側面図（栓体部が斜線で示される）。
【図４】開封栓の口栓本体部の平面図。
【図５】開封栓の口栓本体部の側面図。
【図６】口栓本体部に栓体部を部分的に接続した状態を示す開封栓の概略側面図（栓体部の栓本体が斜線で示される）。
【図７】開封栓の栓体部を裏側（栓本体側）から見た平面図。
【図８】開封栓の栓体部を表側（キャップ部側）から見た平面図。
【図９】開封栓の栓体部の側面図。
【図１０】開封栓の栓体部の正面図。
【図１１】（ａ）は口栓本体部に対して正規の接続位置にある栓体部の平面図、（ｂ）は（ａ）の位置から栓体部を口栓本体部に対して９０°回転させた状態の栓体部の平面図、（ｃ）は（ｂ）の位置から栓体部を口栓本体部に対して更に９０°（（ａ）の位置から１８０°）回転させた状態の栓体部の平面図、（ｄ）は（ａ）の接続位置に対応する開封栓の概略側面図（栓体部の嵌入部が斜線で示され、（ａ）の位置に対応する嵌入部の下端位置がＡで示され、（ｂ）の位置に対応する嵌入部の下端位置がＢで示され、これらの位置間での嵌入部の下端位置の移動量が交差斜線で示されている）、そして、（ｅ）は（ｃ）の接続位置に対応する開封栓の概略側面図（栓体部の栓本体が斜線で示され、（ａ）の位置に対応する栓本体の下端位置がＡで示され、（ｂ）の位置に対応する嵌入部の下端位置がＢで示され、（ｃ）の位置に対応する嵌入部の下端位置がＣで示されている）。
【図１２】キャップ部の第１の引き抜きガイドが口栓本体部の口部の壁部を乗り上がった状態を示す概略斜視図。
【図１３】キャップ部の第２の引き抜きガイドが口栓本体部の口部の壁部を乗り上がった状態を示す概略斜視図。
【発明を実施するための形態】
【００１７】
以下、添付図面を参照して、本発明の一実施形態について説明する。  
図１は、本実施形態に係る開封栓付き収容体１の全体概略図を示している。図示のように、収容体１は、収容物を収容するための収容部２と、収容部２に収容される収容物を注出するために収容部２の上部隅部付近に形成された注出部３と、注出部３に取着される開封栓８０とを備える。
【００１８】
ここで、収容部２内に収容される前記収容物としては、例えば、薬剤や体液等の医用流体、食品、化粧液、工業用流体などが挙げられる。
【００１９】
収容部２を有する収容体１は、収容部２に収容された収容物が排出可能に構成されたものであれば良い。具体的に、本実施形態の収容部２は、所定形状のシート状部材２Ａ，２Ｂを重ね合わせ、図１の斜線で示す周縁（側縁２ａ，２ｂ、上縁２ｃ、および、下縁２ｄ）を、例えば図示しないヒートバーによって溶着することで形成されている。なお、注出部３に開封栓８０を介在して取り付ける前の段階では、上縁２ｃの溶着は行なわれない。
【００２０】
本実施形態の収容部２は、底部２ｅを有する自立体として構成されるが、単にシート状部材２Ａ，２Ｂの周縁部を溶着した非自立体（二方体、三方体など）として構成されても良い。また、収容部２に関しては、溶着する部分や、袋体を構成するシート状部材の形状等については、使用用途などに応じて適宜変形することができ、図に示す構成に限定されることはない。また、収容体がボトルタイプとして構成されていても良い。
【００２１】
本実施形態における前記シート状部材２Ａ，２Ｂは、柔軟性を有する合成樹脂製のシート（プラスチックフイルム）、例えば、溶着し易いように、ポリエチレンやポリプロピレンなどによって構成されており、その表面側に、収容物に対するバリア性を高めるように、ナイロン、アルミホイルなどを積層した、いわゆる複合層で構成されている。
【００２２】
前記注出部３に取着される開封栓８０は、例えば、ポリエチレン、ポリプロピレン等の合成樹脂によって形成されており、収容体１の収容部２内に収容された収容物を取り出すための断面が円形の流路５を有する口栓本体部１０と、口栓本体部１０の流路５の開口端を閉塞するために口栓本体部１０に着脱自在に接続される栓体部２０とを備えている。また、口栓本体部１０は、流路５を形成する断面円形の管状体１０Ａと、流路５の開口端（上端）の周囲に設けられる径方向外側にカップ状に広がる口部１０Ｂとを有する。なお、本実施形態では、管状体１０Ａと口部１０とが一体に形成されているが、別体であっても良いし、管状体は、断面が舟形形状であっても良い。
【００２３】
このような開封栓８０は、その口栓本体部１０が、収容体１の注出部３において、シート状部材２Ａ，２Ｂ間に介在された状態で、例えば図示しないヒートバーによってシート状部材２Ａ，２Ｂに溶着される。また、この場合、開封栓８０の栓体部２０と口栓本体部１０の口部１０Ｂおよび管状体１０Ａの上部とを取り囲むシート状部材２Ａ，２Ｂの領域３０（白抜き部分）は溶着されず、管状体１０Ａの上端部以外の部分だけがシート状部材２Ａ，２Ｂに溶着される（そのような注出部３における溶着部２ｆがシート状部材２Ａ，２Ｂの側縁２ｂおよび上縁２ｃに連なって図１に斜線で示される）。
【００２４】
したがって、未溶着領域３０の近傍に設けられる切り欠き６０（図では２か所）を基点として未溶着領域３０を露出させるようにシート状部材２Ａ，２Ｂを破断すれば、未溶着領域３０内に封入されていた開封栓８０の栓体部２０と口栓本体部１０の口部１０Ｂおよび管状体１０Ａの上部とを外部に露出させることが可能となる。
【００２５】
図２、図４及び図５に示されるように、開封栓８０の口栓本体部１０の口部１０Ｂは、管状体１０Ａの流路５の開口端５ａの周囲に、断面非円形状の壁部１５を有している。すなわち、この壁部１５は、断面円形の流路５とは非同心的となっており、特に、本実施形態における口部１０Ｂは、その開口形状が略楕円形状を成しており、流路５の開口端５ａから一側方へ延びて流路５からの収容物の流出を案内する流出ガイド部１２を有する。この流出ガイド部１２は、流路５の開口端５ａから斜め上方に延びる案内面（底面）１３を有しており、流路５から離れるにしたがって幅が狭くなる先細り形状を成している。
【００２６】
また、例えば図２および図３に示されるように、開封栓８０の栓体部２０は、口栓本体部１０の流路５に着脱自在に嵌入して流路開口端５ａを閉塞する断面が円形の柱状の嵌入部２０Ａと、この嵌入部２０Ａと一体形成されるキャップ部２０Ｂと、を有する。この場合、キャップ部２０Ｂは、栓本体２０Ａの上端から径方向外側に延びるとともに、口部１０Ｂの開口形状に略対応する形状を有する天板部２９と、天板部２９の全周にわたって天板部２９の外周縁から下方に延在（垂下）する周側部（第１の引き抜きガイドとしての機能を有する）２３と、を有しており、嵌入部２０Ａが流路５に嵌入された状態で、口部１０Ｂに着脱自在に被嵌して口部１０Ｂの開口を閉塞状態で覆う。また、この閉塞状態（口部１０Ｂに被嵌された状態）では、図３に示されるように、前記周側部２３が、口部１０Ｂの壁部１５に沿って延びるようになる。
【００２７】
なお、第１の引き抜きガイドとしての周側部２３は、後述するように、流路５に嵌入された嵌入部２０Ａを回転させた際に、口部１０Ｂの壁部１５に当て突いて弾性的にねじれ変形しながら壁部１５に沿ってこれを乗り上がることができるような材料（例えば、前述したような合成樹脂）、または寸法（合成樹脂によって形成される場合には、厚さが例えば０．５ｍｍ程度）に形成されている。
【００２８】
また、図２および図３に示されるように、キャップ部２０Ｂは、嵌入部２０Ａを回転操作するための操作摘み２５を有している。この操作摘み２５は、キャップ部２０Ｂの天板部２９の上面の略中央部で、この上面から上方に略垂直に立ち上がって延びており、例えば略長方形状を有する。特に本実施形態では、操作摘み２５は、天板部２９を左右対称にほぼ二分する対称軸線に沿って延びる構成となっている。
【００２９】
また、この操作摘み２５には、後述するように、キャップ部２０Ｂの周側部２３が口部１０Ｂの壁部１５上を乗り上がった後、更に、嵌入部２０Ａを回転させた際、壁部１５に当て突いて壁部１５を乗り上がるようになっている第２の引き抜きガイド２０Ｃが形成されている。本実施形態において、この第２の引き抜きガイド２０Ｃは、操作摘み２５の長手方向の端部（前記対称軸線上の端部であって、天板部２９の先細り端部とは反対側の端部）で略三角形状を成して下方に（本実施形態では、嵌入部２０Ａと略平行に）延びており、栓体部２０が口栓本体部１０に対して正規の位置（栓本体２０Ａを回転させる前の初期位置）で接続された図３の状態で、口部１０Ｂおよび管状体１０Ａの外面に近接して位置されるようになっている。
【００３０】
そして、更に本実施形態では、図３に示される口栓本体部１０と栓体部２０との正規の位置から、後述するように嵌入部２０Ａを、例えば約１６０°回転させたときに、第２の引き抜きガイド２０Ｃが口部１０Ｂの壁部１５に突き当たるように、壁部１５および第２の引き抜きガイド２０Ｃの形状、寸法等が設定されている。
【００３１】
なお、第２の引き抜きガイド２０Ｃは、口部１０Ｂの壁部１５上にわたる第２の引き抜きガイド２０Ｃの乗り上がりを案内するためのテーパ状のガイド面４０を有している（図１０参照）。また、第２の引き抜きガイド２０Ｃは、口栓本体部１０に対する栓体部２０の誤接続を防止するための指標としての機能も有している。すなわち、図２に示されるように、第２の引き抜きガイド２０Ｃを口部１０Ｂの先細り端部と反対側の端部に平行に沿わせることにより、口栓本体部１０と栓体部２０とが正規の位置で接続することを目視できるようになっている。
【００３２】
上記したように構成される開封栓によれば、第２の引き抜きガイド２０Ｃを指標として図２に示される正規の接続位置で栓体部２０の嵌入部２０Ａを矢印で示されるように口栓本体部１０の流路５に押し込む（嵌入する）と、図３（図１１（ｄ））に示されるように、嵌入部２０Ａによって口栓本体部１０の流路開口端５ａが閉塞されるとともに、栓体部２０のキャップ部２０Ｂが口栓本体部１０の口部１０Ｂに着脱自在に被嵌して口部１０Ｂを閉塞状態で覆う（正規の接続位置）。なお、図３では、分かり易くするため、栓体部２０が斜線で示されている。また、この閉塞状態では、キャップ部２０Ｂの第１の引き抜きガイドとしての周側部２３は、口栓本体部１０の口部１０Ｂの壁部１５に沿った状態となる。
【００３３】
そして、この閉塞状態から操作摘み２５を把持して時計回り（図１１の（ａ）に矢印で示される方向）に回すと、流路５内で嵌入部２０Ａが回転し、それに伴って、流路５と非同心的に設けられる口部１０Ｂの壁部１５に対して、栓本体２０Ａのキャップ部２０Ｂの周側部（第１の引き抜きガイド）２３が当て突きながら弾性変形を始める。その状態から嵌入部２０Ａを流路５内で更に回転させると、口部１０Ｂの壁部１５に当て突く周側部２３の部位Ｘ（図７，８，１１参照）は、その当て突いている壁部１５の部位がせり上がり抵抗部となって弾性的にねじれ変形しながら壁部１５に沿ってこれを乗り上がるようになる（キャップ部２０Ｂの周側部２３が口部１０Ｂの壁部１５を乗り上がった状態が図１２に乗り上げ部Ｐとして示されている）。
【００３４】
そして、この乗り上がり作用により、嵌入部２０Ａは、流路５から引き抜かれる方向に移動する。これに関連して、図１１（ｂ）には、図１１（ａ）に示される正規の接続位置（図３の位置）から栓体部２０を口栓本体部１０に対して９０°回転させた状態の栓体部２０の平面図が示されており、また、図１１（ｄ）には、図１１（ａ）の接続位置に対応する開封栓８０の概略側面図が示されている。この場合、図１１（ｄ）では、栓体部２０の栓本体２０Ａが斜線で示されており、図１１（ａ）の位置に対応する嵌入部２０Ａの下端位置がＡで示され、図１１（ｂ）の位置に対応する嵌入部２０Ａの下端位置がＢで示され、これらの位置Ａ，Ｂ間での嵌入部２０Ａの下端位置の移動量（例えば、周側部２３の高さ分に相当する）が交差斜線で示されている。
【００３５】
また、栓体部２０を、口栓本体部１０に対して更に回転し続けていくと、図１１（ａ）に示される正規の接続位置から約１６０°回転させた時点で、キャップ部２０Ｂ（操作摘み２５）の第２の引き抜きガイド２０Ｃが口部１０Ｂの壁部１５に当て突くようになる。そして、その状態から栓体部２０を口栓本体部１０に対して更に回転させる（流路５内で嵌入部２０Ａを回転させる）と、第２の引き抜きガイド２０Ｃは、そのガイド面４０を案内として、（ガイド面４０が当て突いている壁部１５の部位がせり上がり抵抗部となって）壁部１５を乗り上り（第２の引き抜きガイド２０Ｃが口部１０Ｂの壁部１５を乗り上がった状態が図１３に乗り上げ部Ｐ１として示されている）、それにより、嵌入部２０Ａを流路５から引き抜く方向に更に移動させる。
【００３６】
栓体部２０を正規の接続位置（図１１（ａ）の位置）から口栓本体部１０に対して１８０°回転させた状態が図１１（ｃ）および図１１（ｅ）に示されている。図１１（ｅ）では、図１１（ａ）の位置に対応する嵌入部２０Ａの下端位置がＡで示され、図１１（ｂ）の位置に対応する嵌入部２０Ａの下端位置がＢで示され、図１１（ｃ）の位置に対応する嵌入部２０Ａの下端位置がＣで示されている）。また、位置Ｂ，Ｃ間での嵌入部２０Ａの下端位置の移動量は、例えば、第２の引き抜きガイド２０Ｃの高さ分にほぼ相当する。
【００３７】
このように、本実施形態では、栓体部２０を口栓本体部１０に対して１８０°回転させると、嵌入部２０Ａの下端位置がＣの位置に達し、例えば、栓体部２０が、口栓本体部１０に完全に接続された状態で流路５内に位置する栓本体２０Ａの長さの約２／３が流路５から引き抜かれるようになる。この状態では、栓体部２０を垂直に引き上げるだけで、嵌入部２０Ａを流路５から容易に引き抜くことができるようになる。
【００３８】
以上説明したように、本実施形態によれば、口部１０Ｂの壁部１５を乗り上がる第１の引き抜きガイドとしての周側部２３の乗り上がり作用により、流路５からの嵌入部２０Ａの引き抜き動作が案内されて補助されるため、栓体部２０を小さな力で容易に口栓本体部１０から抜き取ることができる。
【００３９】
また、本実施形態では、キャップ部２０Ｂの周側部２３が口部１０Ｂの壁部１５上を乗り上がった後、更に、嵌入部２０Ａの回転に伴って、壁部１５に当て突いてこれを乗り上がることにより嵌入部２０Ａを流路５から引き抜く方向に更に移動させる第２の引き抜きガイド２０Ｃが設けられているため、周側部２３による引き抜き作用が働かなくなった後に第２の引き抜きガイド２０Ｃがこれを引き継いで更なる引き抜き動作を進行させることができる。すなわち、流路５からの嵌入部２０Ａの引き抜き動作をより簡単に行うことが可能になる。
【００４０】
また、本実施形態において、第２の引き抜きガイド２０Ｃは、口部１０Ｂの壁部１５上にわたる第２の引き抜きガイド２０Ｃの乗り上がりを案内するためのテーパ状のガイド面４０を有しているため、壁部１５に対する第２の引き抜きガイド２０Ｃの乗り上がり動作がスムーズになり、嵌入部２０Ａの引き抜き動作が容易に行えるようになる。また、本実施形態において、前記第２の引き抜きガイド２０Ｃは、口栓本体部１０に対する栓体部２０の誤接続を防止するための指標としての機能も有するため、特に、口部１０Ｂ、およびキャップ部２０Ｂの形状が本実施形態のように円形でない非対称な形状を成す場合に、口栓本体部１０に対する栓体部２０の接続方向を第２の引き抜きガイド２０Ｃによって視認することができ、これらの間の誤接続を確実に防止できる。
【００４１】
また、本実施形態において、口栓本体部１０の口部１０Ｂは、流路５からの収容物の流出を案内する流出ガイド部１２を有し、また、流出ガイド部１２が先細り形状を成しているため、流路５からの収容物の流出方向を規定して液垂れを生じさせることなく収容物のスムーズな注出を行なうことが可能となる。
【００４２】
以上、本発明の実施形態について説明したが、本発明は、上述した実施形態に限定されず、種々変形して実施することが可能である。例えば、上記した実施形態では、第１の引き抜きガイドとしての周側部２３が、口部１０Ｂの壁部１５全周にわたって形成されているが、周側部２３は、前述した引き抜き作用を実現できさえすれば、キャップ部２０Ｂの周囲に部分的に設けられても良い。また、第１の引き抜きガイドや第２の引き抜きガイドは、キャップ部２０Ｂを回転した際、キャップ部（嵌入部）を持ち上げるような作用を発揮できれば良く、その形状や口部１０Ｂの壁部に対する係合状態など、適宜、変形することが可能である。
【００４３】
また、嵌入部２０Ａの回転量と流路５からの嵌入部２０Ａの引く抜き移動量との間の関係は、前述した実施形態に限定されず、嵌入部２０Ａや流路５の直径寸法、および、キャップ部２０Ｂおよび口部１０Ｂの形状等を任意に設定することにより、前記関係を任意に設定できる。また、第１および第２の引き抜きガイドは、口部１０Ｂ上に完全に乗り上がっても良いし、部分的に乗り上がっても構わない。
【００４４】
さらに、口栓本体部１０について、前述したように単なる流路５を備えるだけのものであっても良いが、様々な形態の再封止機構を有するものであっても良い。また、前述した実施形態では、引き抜きガイドの引き抜き作用によって嵌入部２０Ａが流路５から部分的にしか引き抜かれないが、引き抜きガイドの引き抜き作用によって嵌入部２０Ａが流路５から完全に引き抜かれても良い。
【符号の説明】
【００４５】
１  収容体
２  収容部
３  注出部
５  流路
５ａ  開口端
１０  口栓本体部
１０Ｂ  口部
１２  流出ガイド部
１５  壁部
２０  栓体部
２０Ａ  嵌入部
２０Ｂ  キャップ部
２０Ｃ  第２の引き抜きガイド
２３  周側部（第１の引き抜きガイド）
４０  ガイド面
８０  開封栓
【図１】
2014015230.tif 000003
【図２】
2014015230.tif 000004
【図３】
2014015230.tif 000005
【図４】
2014015230.tif 000006
【図５】
2014015230.tif 000007
【図６】
2014015230.tif 000008
【図７】
2014015230.tif 000009
【図８】
2014015230.tif 000010
【図９】
2014015230.tif 000011
【図１０】
2014015230.tif 000012
【図１１】
2014015230.tif 000013
【図１２】
2014015230.tif 000014
【図１３】
2014015230.tif 000015